(57)【特許請求の範囲】
【請求項１】
一対の親骨と、
前記一対の親骨間に配置された複数本の中骨と、
前記一対の親骨および前記複数本の中骨の各基端部に貫通状態で設けられた要軸と、
前記一対の親骨および前記複数の中骨と固着した蛇腹状の屈折地膜と
を備えた扇子であって、
前記一対の親骨間に配置された部材であって、当該部材の基端部には要軸が貫通状態にあり、前記屈折地膜とは固着していないために前記要軸に対して回動可能に構成された長片状部材を更に備え、
前記扇子を折り畳んだときに前記長片状部材と向かい合う位置にある前記屈折地膜が少なくとも一つの隣接する前記屈折地膜と固着されていることを特徴とする扇子。
【請求項２】
前記屈折地膜の折り畳まれた状態および／または展開された状態において、前記長片状部材が親骨と中骨の間に格納され得る、請求項１記載の扇子。
【請求項３】
前記長片状部材がペーパーナイフ、耳かき、爪やすり、甘皮押し、楊枝、ナイフ、フォーク、マドラー、へら、温度計、フラッシュメモリ、ペン、鉛筆、シートレンズ、ゲージ、メジャー、化粧筆、刷毛、ピンまたは着脱可能な被収容部材を収容する収容基部である、請求項１または２記載の扇子。
【請求項４】
前記長片状部材が前記屈折地膜に接触しない、請求項１〜３のいずれか一項記載の扇子。
【請求項５】
２〜１２枚の互いに隣接する屈折地膜同士が固着されて形成された緊縮状屈折地膜を備えたことを特徴とする請求項１〜４のいずれか一項記載の扇子。
【請求項６】
前記長片状部材を挟む屈折地膜が先端部で固着されていることを特徴とする請求項１記載の扇子。
【発明の詳細な説明】
【技術分野】
【０００１】
本発明は、扇子に関する。
【背景技術】
【０００２】
扇子は、煽ぐことで涼風を形成するべく使用に供されるのはもちろんのこと、昨今では外出先での携帯装身具、職場等での常用愛玩品、海外賓客への贈答品などとしても重宝されている。一般に、扇子は、一対の親骨と、親骨間に配置された複数本の中骨と、親骨および中骨の各基端部に貫通状態で設けられた要軸と、蛇腹状の屈折地膜とを備えている。屈折地膜は、例えば和紙などの素材からなり、その両側部においては、前記各親骨が固着されている。また、屈折地膜の中間部においては、非固着膜片と固着膜片とを交互に有し、固着膜片には前記各中骨の先端部が固着されている。かかる扇子は、前記要軸を回動支点として全体的に展開したり、折り畳んだりすることができるようになっている。すなわち、扇子は、持ち運び時等の非使用時においては折り畳まれ、煽ぐなどの使用時においては展開される。
【発明の概要】
【発明が解決しようとする課題】
【０００３】
ところで、扇子は夏をはじめとする暑い季節に主に用いられるが、それ以外の季節には用いられることが少ない。そこで本発明は、煽ぐことで送風する冷涼機能以外の機能を付加し、季節を問わず多彩な用途に用いられる扇子を提供することを目的とする。
【課題を解決するための手段】
【０００４】
本発明者は、扇子の折畳み性および折畳みによる省スペース性に着目し、親骨と中骨の間に、長片状部材や、長片状部材を収納することができる収納部を要軸を貫通するように設けることによって一体となった扇子とし、本発明を完成した。具体的には、本発明は、以下の［１］〜［７］からなる。
【０００５】
本発明［１］は、一対の親骨と、
前記一対の親骨間に配置された複数本の中骨と、
前記一対の親骨および前記複数本の中骨の各基端部に貫通状態で設けられた要軸と、
前記一対の親骨および前記複数の中骨と固着した蛇腹状の屈折地膜と
を備えた扇子であって、
前記一対の親骨間に配置された部材であって、当該部材の基端部には要軸が貫通状態にあり、前記屈折地膜とは固着していないために前記要軸に対して回動可能に構成された長片状部材を更に備え、
前記扇子を折り畳んだときに前記長片状部材と向かい合う位置にある屈折地膜が少なくとも一つの隣接する屈折地膜と固着されていることを特徴とする扇子に関する。
【０００６】
本発明［２］は、前記屈折地膜の折り畳まれた状態および／または展開された状態において、前記長片状部材が親骨と中骨の間に格納され得る、前項［１］記載の扇子に関する。
【０００７】
本発明［３］は、前記長片状部材がペーパーナイフ、耳かき、爪やすり、甘皮押し、楊枝、ナイフ、フォーク、マドラー、へら、温度計、フラッシュメモリ、ペン、鉛筆、シートレンズ、ゲージ、メジャー、化粧筆、刷毛、ピンまたは着脱可能な被収容部材を収容する収容基部である、前項［１］または［２］記載の扇子に関する。
【０００８】
本発明［４］は、前記長片状部材が前記屈折地膜に接触しない、前項［１］〜［３］のいずれか一項記載の扇子に関する。
【０００９】
本発明［５］は、２〜１２枚の互いに隣接する屈折地膜同士が固着されて形成された緊縮状屈折地膜を備えたことを特徴とする前項［１］〜［４］のいずれか一項記載の扇子に関する。
【００１１】
本発明［６］は、前記長片状部材を挟む屈折地膜が先端部で固着されていることを特徴とする前項［１］記載の扇子に関する。
【発明の効果】
【００１２】
扇子は夏をはじめとする暑い季節に主に用いられる商品であるが、本発明の構成により、長片状部材を追加して新たな機能が付与されることから、季節を問わず使用することができる。また、扇子を折り畳んだ際に長片状部材の先端と向かい合う位置にある屈折地膜とそれに隣接する屈折地膜を固着せしめることによって、前記長片状の部材を親骨間（親骨と中骨の間、または中骨同士の間）の屈折地膜のない部分に収納することができ、扇子を使用する際に不用意に飛び出すことがない。
【図面の簡単な説明】
【００１３】
【図１】本発明の扇子を展開した斜視図である。
【図２】図１の扇子の要軸を貫通する部材を順番に並べた分解図である。
【図３】図１の展開した扇子を弧の外側から見た側面図である。
【図４】図３の別態様であり、複数の屈折地膜同士が固着していない態様である。
【図５】図３の別態様であり、屈折地膜が扇子の中央部分で相互に固着した態様である。
【図６】図３の別態様であり、複数の屈折地膜同士が相互に固着した態様である。
【図７】図６の扇子を展開した斜視図である。
【図８】図７の扇子において緊縮状屈折地膜部分を非固着状態にして展開した斜視図である。
【図９】本発明の長片状部材の例である。
【図１０】長片状部材が長い扇子を展開した斜視図である。
【図１１】本発明の扇子を折り畳み、長片状部材を回動して扇子から取り出した状態の側面図である。
【発明を実施するための形態】
【００１４】
以下、本発明を、図面を参照しつつ説明する。
（扇子の構造）
図１は、本発明の扇子を展開した斜視図である。本発明の扇子１１は、比較的厚肉の一対の親骨１２および１３と、当該親骨１２および１３の間に配置され、比較的薄肉の複数本の中骨１４と、親骨１２、１３および中骨１４の各基端部に貫通状態で設けられた要軸１５と、蛇腹状の屈折地膜１６とを備えている。蛇腹状の屈折地膜１６は、中骨が固着していない非固着膜片Ａと、中骨が固着している固着膜片Ｂとが山折りと谷折りを交互に連続させたものである。屈折地膜１６はいずれも和紙、プラスチックなどの材料からなる表紙１７および裏紙１８からなり、これらが上下から中骨を挟んで糊付けされている。なお、本態様では中骨の表裏に屈折地膜（表紙および裏紙）が固着しているが、中骨の片面のみに屈折地膜が固着した態様も本発明に含まれる。屈折地膜１６の両側部においては、前記各親骨１２および１３の先端部が固着されており、親骨固着膜片１９および２０となっている。本態様の扇子は親骨と親骨に隣接する中骨の間に長片状部材２１を有する。図１では使用のために長片状部材２１を回動して扇子内部から表に出した態様を示す。この長片状部材２１は、使用しないときには扇子内部に収容される。ここでの長片状部材２１は、ペーパーナイフ２１１の態様である。
【００１５】
図２は、説明のため、図１の扇子を分解した斜視図である。上から順に、親骨１２、表紙１７、長片状部材２１（ここではペーパーナイフ２１１）、複数の中骨１４（長片状部材２１に隣接するのは中骨１４Ｓ）、裏紙１８となっている。なお、この態様では、接着部材２２が非固着膜片Ａ１に貼付され、非固着膜片Ａ１と相対する固着膜片Ｂ１が固着されている。接着部材は特に限定されないが、公知の粘着剤等が用いられる。本態様では非固着膜片と固着膜片がほぼ全面において固着されているが、膜片の一部分において固着されている態様であってもよい。
【００１６】
図３は、図１の扇子を展開したものを、弧の外側より観察した側面図である。そして、図４は、図３の扇子の側面図の接着部材２２に相当する部材がない態様である。扇子１１の蛇腹状の屈折地膜１６は、第一の山折り部Ｍ１、第一の谷折り部Ｖ１、第二の山折り部Ｍ２、第二の谷折り部Ｖ２、第三の山折り部Ｍ３・・・と、複数の山折り部と谷折り部が一つずつ交互に連続している。屈折地膜１６は、非固着膜片Ａ２、固着膜片Ｂ２、非固着膜片Ａ３、固着膜片Ｂ３・・・とを交互に有し、それらが蛇腹構造を形成している。非固着膜片Ａには中骨１４が固着されておらず、固着膜片Ｂには各中骨１４の先端部が固着されており、中骨１４はその表裏を屈折地膜１６の表紙１７と裏紙１８に固着されている。屈折地膜１６は、非固着膜片Ａと固着膜片Ｂを交互に有していることから、膜片を端から順に、親骨固着膜片１９、非固着膜片Ａ１、固着膜片Ｂ１、非固着膜片Ａ２、固着膜片Ｂ２、非固着膜片Ａ３、・・・、非固着膜片Ａｎ−１、固着膜片Ｂｎ−１、非固着膜片Ａｎ、固着膜片Ｂｎ、非固着膜片Ａｎ＋１、親骨固着膜片２０（ｎは中骨の数を表す。）という構成となっている。第一の山折り部Ｍ１は親骨固着膜片１９とそれに隣接する非固着膜片Ａ１によって形成されている。本発明において、第一の山折り部Ｍ１に長片状部材２１が配置されている。これは、長片状部材２１が親骨１２とそれに隣接する中骨１４Ｓに挟まれていることを表す。本態様において、非固着膜片Ａ１と固着膜片Ｂ１が接着部材２２を介して相互に固着している。これにより、かかる固着膜片Ｂ１に固着する中骨１４Ｓは、扇子１１が展開した形状であっても、（相互固着していない態様である図４と比べて）親骨１２側に引き寄せられる。扇子１１が展開した形状であっても非固着膜片Ａ１および固着膜片Ｂ１が固着した部分が広がらないことにより、長片状部材２１を収納する、第一の山折り部Ｍ１の開く幅は図４に比べて狭くなる。その結果、扇子１１を展開しても、長片状部材２１が親骨１２と中骨１４Ｓの間に挟まれて収納された状態を維持し、扇子から飛び出しにくい。
【００１７】
図４は、前述の通り、図３における接着部材２２に相当する部分がない態様である。図３と同様に、長片状部材２１が山折り部Ｍ１に位置し、親骨１２と中骨１４Ｓに挟まれるように位置している。この場合、扇子１１を展開した際に親骨１２と中骨１４の間に長片状部材２１が視認できるので、長片状部材２１を取り出しやすい態様である。
【００１８】
図５は、図３の別態様であり、屈折地膜が扇子の中央部分で相互に固着した態様、すなわち、長片状部材が隣接する二本の中骨同士の間に挟まれるように位置している態様である。図５は、展開した扇子の弧の外側から見た側面図である。蛇腹形状を有する屈折地膜において、固着膜片Ｂｍ−２、非固着膜片Ａｍ−１、固着膜片Ｂｍ−１、非固着膜片Ａｍ、固着膜片Ｂｍ、非固着膜片Ａｍ＋１、固着膜片Ｂｍ＋１、非固着膜片Ａｍ＋２・・の順に並んでいる。固着膜片Ｂｍ−２は中骨１４ｍ−２を有し、固着膜片Ｂｍ−１は中骨１４ｍ−１を有し、固着膜片Ｂｍは中骨１４ｍを有し、固着膜片Ｂｍ＋１は中骨１４ｍ＋１を有する。ここで、非固着膜片Ａｍと固着膜片Ｂｍが接着部材２２を介して固着していることから、固着膜片Ｂｍ−１と非固着膜片Ａｍに挟まれるように位置する長片状部材２１は、中骨１４ｍ−１とそれに隣接する中骨１４ｍの間に挟まれることとなる。非固着膜片Ａｍと固着膜片Ｂｍが相互に固着していることにより、扇子１１を展開した場合においても、固着膜片Ｂｍ−１と非固着膜片Ａｍが形成する角度が狭められる（固着しない場合、このように角度は狭められない）ことから、長片状部材２１が扇子からはみ出しにくくなる。
【００１９】
図６は、図３の別態様であり、複数の屈折地膜同士が相互に固着した態様である。図６では、親骨固着膜片１９と非固着膜片Ａａが相対する面同士で接着部材２２を介して固着されており、同様に非固着膜片Ａａと非固着膜片Ａｂ、非固着膜片Ａｂと非固着膜片Ａｃ、非固着膜片Ａｃと非固着膜片Ａｄも相互に固着部材２２を介して固着されている。その結果、複数の隣接する屈折地膜が固着され折り畳まれた状態となる（これを緊縮状屈折地膜１６Ａとする）。緊縮状屈折地膜１６Ａは複数の膜片および接着部材２２による厚みのために緊縮状屈折字膜と要軸との間に長片状部材を収容する空間を生み、扇子の他の部材との干渉を防ぐことができる。図７は、図６の扇子を展開した斜視図である。緊縮状屈折地膜１６Ａは親骨１２の奥に隠れており、扇子を展開した場合であっても長片状部材２１は緊縮状屈折字膜と要軸との間の空間に収納された状態で、扇子本体から飛び出すことがない。長片状部材を収容するための厚さを設けるため、２〜１２枚、より好ましくは２〜１０枚、さらに好ましくは２〜８枚の互いに隣接する屈折地膜同士が固着されて緊縮状屈折地膜が形成されていることが好ましい。
【００２０】
図８は、図７の緊縮状屈折地膜を非固着状態にして（接着部材がない状態にして）展開した構造である。本態様では、緊縮状屈折地膜１６Ａに相当する膜片であるＡｂおよびＡｄに中骨が固着されていないが、厚みや強度を担保する目的で、膜片に要軸から分離された中骨が固着された態様であってもよい。また、接着部材２２に加えて厚紙、プラスチックフィルム、金属片等の補強用部材を用いてもよい。これにより、扇子を折り畳んだ際に長片状部材２１が収容される程度の厚さを確保することができる。なお、図８の態様も、本発明の範囲に含まれ、扇子を展開した際に長片状部材２１を容易に取り出すことができる。
【００２１】
（長片状部材）
前記一対の親骨間に配置された部材であって、当該部材の基端部には要軸が貫通状態にあり、屈折地膜とは固着していないために要軸に対して回動可能に構成された長片状部材としては、例えば、図９に示すようなペーパーナイフ２１１、耳かき２１２、爪やすり２１３、収容基部２１４（ここで、収容基部２１４には爪楊枝２３などの被収容部材が脱着可能に取り付けられている）などが挙げられるが、一対の親骨の間に格納されるものであれば特に限定されない。長片状部材としては、これらの他に、甘皮押し、楊枝、ナイフ（菓子切り分け用、果物切り用など）、フォーク、マドラー、へら、温度計、フラッシュメモリ（メモリカード、ＵＳＢメモリなど）、ペン、鉛筆、シートレンズ、ゲージ、メジャー、化粧筆、刷毛、ピン（クリップピン、ヘアピン）などが含まれる。これらの長片状部材は、扇子の要軸に対して回動可能に構成されている。被収容部材としては、前記の長片状部材が収容基部を介して接続されているものや、または薄片状の部材（例えば、フラッシュメモリ、ギターピック、など）等が挙げられる。被収容部材は、扇子を折り畳んだときに飛び出すことなく親骨間に挟まれている。図４を参照すると、扇子の基端部側において、長片状部材２１は、扇子１１が折り畳まれたときだけでなく展開された際にも、親骨１２とそれに隣接する中骨１４Ｓに挟まれて、収容されている。本態様において、長片状部材２１の長さは、扇子を折り畳む際に障害とならないように、中骨の屈折地膜に覆われない部分、すなわち基端部の長さより短いことが好ましい。換言すれば、長片状部材２１の長さは、屈折地膜１６に接触しないことが好ましい。長片状部材２１の幅は、中骨１４Ｓと外骨１２の間に収納可能なように、それらの横幅よりも狭いことが好ましい。なお、収容基部と被収容部材の取り付けは、被収容部材が収容基部に固定されればよく、例えば、一方が他方の中に収容されるオス−メスの関係にあってもよく、また収容基部が磁石を備えており、鉄素材を有する被収容部材が磁力で付着する態様であってもよい。
【００２２】
図１０は本発明の扇子の別態様を示す。図１０においては、長片状部材２１５が図１や図８などの態様と比較して長いことから、扇子１１を折り畳んだ際に、向かい合う屈折地膜間に挟まれるように収容される。長片状部材２１５が屈折地膜の間に挟まる場合には、かかる屈折地膜同士は接着していないか、長片状部材の収容に障害とならないように扇子の先端部などの一部の箇所のみで接着している。なお、長片状部材２１５は左回りに回動して取り出して使用することができる（二点鎖線で図示）。
【００２３】
（扇子の使用方法）
本発明の扇子は、外骨、中骨および長片状部材が要軸を回動支点として展開したり、折り畳んだりすることができる。扇を展開した際に、扇の本来の使用目的として、煽ぐことができる（例えば、図１）。本発明の扇子の親骨の間（親骨とそれに隣接する中骨の間、または中骨同士の間）に格納されている長片状部材２１は、通常の扇子の開閉では扇子内に収容されているが、図１０に示すように要軸１５を回動支点として長片状部材２１（ここではペーパーナイフ２１１）を取り出すことによって、その機能に応じた役割を果たすことができる。図１１は、折り畳んだ扇子１１からペーパーナイフ２１１を外側に出した態様であり、扇子に接続した状態で使用することができる。使用後は、再び扇子１１内に収納することができる。図１１に示されるように、折り畳んだ扇子の中に長片状部材が収容されるように、長片状部材２１の横幅は、親骨１２の横幅よりも狭くなっていることが好ましい。
【産業上の利用可能性】
【００２４】
本発明により、扇子の使用や美観を妨げることなく新たな機能を付加することができ、扇子の新たな可能性が広がる。
【符号の説明】
【００２５】
１１  扇
１２および１３  親骨
１４（１４Ｓ）  中骨
１５  要軸
１６  屈折地膜
１７  表紙
１８  裏紙
１９および２０  親骨固着膜片
２１  長片状部材
２２  固着用部材
Ａ  非固着膜片
Ｂ  固着膜片
【図１】
0005910783.tif 000002
【図２】
0005910783.tif 000003
【図３】
0005910783.tif 000004
【図４】
0005910783.tif 000005
【図５】
0005910783.tif 000006
【図６】
0005910783.tif 000007
【図７】
0005910783.tif 000008
【図８】
0005910783.tif 000009
【図９】
0005910783.tif 000010
【図１０】
0005910783.tif 000011
【図１１】
0005910783.tif 000012